(57)【要約】【課題】容易にパソコンなどの上位機種に接続することが可能な個別機能装置を提供する。【解決手段】ＵＳＢデバイスコントローラを含む装置群を収納する本体部と、ＵＳＢデバイスコントローラに接続する標準ＵＳＢジャックと、ＵＳＢデバイスコントローラに接続する、標準ＵＳＢジャックとは形状が異なる専用ＵＳＢジャックと、を備える。個別機能装置の一方のジャックを被覆するのに十分な長さを備え、摺動することによりこれらのジャックを交互に被覆するスリーブをさらに備えていてもよい。【選択図】図１６
2010058642.tif 000002
【特許請求の範囲】
【請求項１】
ＵＳＢデバイスコントローラを含む装置群を収納する本体部と、
前記ＵＳＢデバイスコントローラに接続する標準ＵＳＢジャックと、
前記ＵＳＢデバイスコントローラに接続する、前記標準ＵＳＢジャックとは形状が異なる専用ＵＳＢジャックと、
を備える車載用表示装置の個別機能装置。
【請求項２】
前記個別機能装置の一方のジャックを被覆するのに十分な長さを備え、一方のジャックの側に摺動することによりこの一方のジャックを被覆して保護し、他方のジャックの側に摺動することによりこの他方のジャックを被覆して保護するスリーブをさらに備えることを特徴とする請求項１記載の車載用表示装置の個別機能装置。
【請求項３】
前記専用ＵＳＢジャックが前記本体部に覆われたメス型であることを特徴とする請求項１記載の車載用表示装置の個別機能装置。
【発明の詳細な説明】
【技術分野】
【０００１】
本発明は、車載用表示装置に係り、特に選択的に機能が拡張できる車載用表示装置に関する。
【背景技術】
【０００２】
車載用表示装置は高機能化が進んできている。すなわち、車載用表示装置は自動車のおかれた環境を表示する中央情報表示装置として用いられるだけでなく、ラジオやＣＤプレーヤーのコントロールパネルとして利用され、また、カーナビゲーションシステムの表示装置を兼ねることもある。さらに、テレビジョン受像機の表示パネルとして利用されることもある。
【０００３】
従来の車載用表示装置は、これらの複数の機能をあらかじめ組み込んだ状態で構成されていた（例えば、特許文献１、図１）。
【０００４】
特許文献１に記載の技術などにみられる従来の車載用表示装置においては、一部のユーザにとって不要な機能も分離不可能な状態に構成されている。このため、これらのユーザにとっては、従来の車載用表示装置の価格は割高なものとなっていた。
【０００５】
一方、車載用表示装置に関する新たな技術が開発されても、これをユーザが既に購入した車載用表示装置に追加することは不可能であり、結果的に新技術を欲するユーザは車載用表示装置を買い替えなければならなかった。
【０００６】
この問題に対して、出願人らは選択的に機能が拡張できる車載用表示装置を開発した。
【特許文献１】特開２００８−１４３５２０号公報
【発明の開示】
【発明が解決しようとする課題】
【０００７】
出願人らが開発した車載用表示装置の個別機能装置は、誤接続を防止するために専用のコネクタが設けられている。
【０００８】
このため、個別機能装置をパソコンなどの上位機種に接続する際には専用の変換コネクタを用いる必要があった。
【０００９】
本発明は上記のような問題点に鑑みてなされたものであり、容易にパソコンなどの上位機種に接続することが可能な個別機能装置を提供することを目的とする。
【課題を解決するための手段】
【００１０】
この目的を達成するために本発明は、ＵＳＢデバイスコントローラを含む装置群を収納する本体部と、ＵＳＢデバイスコントローラに接続する標準ＵＳＢジャックと、ＵＳＢデバイスコントローラに接続する、標準ＵＳＢジャックとは形状が異なる専用ＵＳＢジャックと、を備える個別機能装置を提供する。
【発明の効果】
【００１１】
本発明によれば、容易に上位機種との接続が可能となるという効果がある。
【発明を実施するための最良の形態】
【００１２】
（車載用表示装置の説明）
以下、本発明による車載用表示装置の一実施の形態を、図面を用いて詳細に説明する。本発明の車載用表示装置は自動車やバスやオートバイなどの車両に設置される。本発明の車載用表示装置は予め自動車などのフロントパネルに組み込まれていてもよく、また、フロントパネルとは別体に構成されて後から自動車などに設置されてもよい。以下、詳細に説明する。
【００１３】
（第１の実施形態）
図１は、本発明の車載用表示装置の第１の実施形態における構成を示す概要図である。図１に示すように、本実施形態の車載用表示装置は、中央情報表示装置１０と、拡張装置２０と、個別機能装置３０とを備える。
【００１４】
中央情報表示装置１０は予め自動車などのフロントパネルに組み込まれていてもよく、また、フロントパネルとは別体に構成されて後から自動車などに設置されてもよい。中央情報表示装置１０は、ＬＣＤ（液晶ディスプレイ）１０１と、高性能ＣＰＵ１０２と、記憶装置であるＲＡＭ１０３及びＲＯＭ１０４と、汎用シリアル通信バスであるＵＳＢ（ユニバーサルシリアルバス）を制御するＵＳＢホストコントローラ１０５と、著作権保護可能なＳＤカードメモリを制御するＳＤＳＤホストコントローラ１０６と、を備える。
【００１５】
ＬＣＤ１０１高性能ＣＰＵ１０２からのＶＧＡ信号を受け入れて映像を表示画面に表示する。また、ＬＣＤ１０１にはタッチパネルが設けられており、このタッチパネルからの入力は高性能ＣＰＵ１０２に入力する。
【００１６】
高性能ＣＰＵ１０２は、後述する個別機能装置３０の各種アプリケーションを実行できる程度な性能を有する。ＲＡＭ１０３はＳＤＲＡＭ（シンクロナスＤＲＡＭ）を用いることができる。ＲＯＭ１０４はＦｌａｓｈ  ＲＯＭを用いることができる。ＵＳＢホストコントローラ１０５はＵＳＢ以外の汎用シリアル通信バスのコントローラでもよい。
【００１７】
拡張装置２０は、ＵＳＢ  ＨＵＢ２０１を備える。このＵＳＢ  ＨＵＢ２０１は中央情報表示装置１０のＵＳＢホストコントローラ１０５に接続されている。なお、拡張装置２０は中央情報表示装置１０と一体に構成されていても別体に構成されていてもよい。ＵＳＢ  ＨＵＢ２０１は複数のＨＵＢポートを備える。
【００１８】
個別機能装置３０は、中央情報表示装置１０及び拡張装置２０と別体に構成されている。個別機能装置３０は拡張装置２０に着脱可能に構成されている。個別機能装置３０と拡張装置２０とはＵＳＢなどの汎用シリアル通信バスによって接続される。個別機能装置３０と拡張装置とを接続するジャックの形状は、通常のＵＳＢなどの汎用シリアル通信バスのジャックの形状と異なっていてもよい。
【００１９】
個別機能装置３０は拡張装置２０に接続され、中央情報表示装置１０と協働して動作することにより中央情報表示装置１０の機能を拡張する。個別機能装置３０は、後述のようにＵＳＢデバイスコントローラ３０１Ａのような汎用シリアル通信バスのデバイスコントローラを含んで構成されるが、この構成は個別機能装置３０が実現しようとする機能によって異なる。
【００２０】
以下、個別機能装置３０の具体例を説明する。個別機能装置３０は以下の具体例に限られるものではない。
【００２１】
図２は、中央情報表示装置１０のナビゲーション機能を拡張するための個別機能装置３０の例を示すブロック図である。図２に示すように、ナビゲーション機能拡張用個別機能装置は、図２（ａ）に示すＧＰＳアンテナモジュール３０１と、図２（ｂ）に示すナビゲーションモジュール３０２とを備える。
【００２２】
ＧＰＳアンテナモジュール３０１は、信号を受信するアンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、ＧＰＳコントローラ３０１Ｂの動作を制御し、拡張装置２０のＵＳＢ  ＨＵＢ２０１に接続するＵＳＢデバイスコントローラ３０１Ａとを備える。
【００２３】
ナビゲーションモジュール３０２は、地図に関するデータであるマップデータを格納する記憶装置であるｅＳＤ３０２Ｂ１と、ナビゲーションを実行するソフトウエアであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０２Ｂ３とを備える。
【００２４】
ここで、ｅＳＤ（ｅｍｂｅｄｄｅｄ  Ｓｅｃｕｒｅ  Ｄｉｇｉｔａｌ  Ｍｅｍｏｒｙ：組み込み型ＳＤカードメモリ）について説明する。ｅＳＤは秘匿領域を有するＮＡＮＤ型フラッシュメモリである。このｅＳＤは、必要に応じて音楽データや地図データや有償のアプリケーションデータ等の著作権保護の必要な暗号化されたデータと、このデータの暗号キーとを格納することができる。必要に応じて、暗号化されていないデータを格納することもできる。
【００２５】
なお、図２（ｂ）には複数のｅＳＤが示されているが、ナビゲーションモジュール３０２は一つのｅＳＤだけを備えてこれにマップデータとナビエンジンソフトとユーザインターフェースソフトを格納するように構成することもできる。
【００２６】
ナビゲーションモジュール３０２は、さらにこれらのｅＳＤを制御し、拡張装置２０のＵＳＢ  ＨＵＢ２０１に接続するＵＳＢデバイスコントローラ３０２Ａを備える。
【００２７】
このナビゲーション機能拡張用個別機能装置は、ＧＰＳアンテナモジュール３０１と、ナビゲーションモジュール３０２とを別体に構成した。このため、各モジュールの大きさを小さくすることが可能となるという効果がある。
【００２８】
図３は一体型ナビゲーション機能拡張用個別機能装置の構成を示すブロック図である。図３に示すように、ＧＰＳアンテナモジュールを併せ持つナビゲーションモジュールである一体型ナビゲーション機能拡張用個別機能装置は、ｅＳＤ３０２Ｂ１と、ｅＳＤ３０２Ｂ２と、ユーザインターフェースソフトを格納するｅＳＤ３０３Ｂ３と、ＧＰＳコントローラ３０１Ｂと、高周波回路３０１Ｃとアンテナ３０１Ｄとを備える。
【００２９】
さらに、一体型ナビゲーション機能拡張用個別機能装置は、ｅＳＤ３０２Ｂ１と、ｅＳＤ３０２Ｂ２と、ｅＳＤ３０３Ｂ３と、ＧＰＳコントローラ３０１Ｂとに接続してこれらを制御し、拡張装置２０のＵＳＢ  ＨＵＢ２０１に接続するＵＳＢデバイスコントローラ３０２Ａを備える。
【００３０】
この一体型ナビゲーション機能拡張用個別機能装置は、ＧＰＳアンテナモジュールとナビゲーションモジュールとを一体に構成した。このため、設置操作、撤去操作が簡便であるという効果がある。
【００３１】
図４は、中央情報表示装置１０のオーディオビジュアル機能を拡張する個別機能装置３０であるＡＶモジュール３０４の構成を示すブロック図である。図４に示すように、ＡＶモジュール３０４は、音楽やビデオなどの楽曲データを格納するｅＳＤ３０４Ｂ１と、楽曲データをデコードするソフトウエアであるデコードエンジンソフトウエアを格納するｅＳＤ３０４Ｂ２と、ユーザとＡＶモジュール３０４とのインターフェースとして機能するユーザインターフェースソフトを格納する記憶装置であるｅＳＤ３０４Ｂ３と、これらのｅＳＤを制御し、拡張装置２０のＵＳＢ  ＨＵＢ２０１に接続するＵＳＢデバイスコントローラ３０２Ａを備える。
【００３２】
なお、図４には複数のｅＳＤが示されているが、ＡＶモジュール３０４は一つのｅＳＤだけを備えてこれに楽曲データとデコードエンジンソフトとユーザインターフェースソフトを格納するように構成することもできる。
【００３３】
このＡＶモジュール３０４は、パソコンやオーディオ機器などの上位機種に接続し、これらの上位機種から楽曲データやデコードエンジンソフトを格納するように構成することもできるため、任意の楽曲を車内で楽しむことができるという効果がある。
【００３４】
図５は、中央情報表示装置１０のテレビジョン受信機能を拡張する個別機能装置３０であるワンセグ機能拡張用個別機能装置の構成を示すブロック図である。図５に示すように、ワンセグ機能拡張用個別機能装置は、図５（ａ）に示すワンセグアンテナモジュール３０５と、図５（ｂ）に示すワンセグモジュール３０６とを備える。
【００３５】
ワンセグアンテナモジュール３０５は、テレビジョン信号を受信するアンテナ３０５Ｄと、受信した信号を処理する高周波回路３０５Ｃと、処理した高周波信号から任意のチャンネルのテレビジョン信号を選択するワンセグチューナー３０５Ｂと、このワンセグチューナー３０５Ｂを制御し、拡張装置２０のＵＳＢ  ＨＵＢ２０１に接続するＵＳＢデバイスコントローラ３０１Ａとを備える。
【００３６】
ワンセグモジュール３０６は、ワンセグチューナー３０５Ｂが選択したチャンネルのテレビジョン信号からＬＣＤ１０１に表示させる画像データとスピーカから再生する音声データと生成する機能を実行するソフトウエアであるワンセグアプリケーションソフトを格納する記憶装置であるｅＳＤ３０６Ｂ１と、ユーザとワンセグ機能拡張用個別機能装置とのインターフェースとして機能するユーザインターフェースソフトを格納する記憶装置であるｅＳＤ３０６Ｂ２と、これらのｅＳＤを制御し、拡張装置２０のＵＳＢ  ＨＵＢ２０１に接続するＵＳＢデバイスコントローラ３０２Ａを備える。
【００３７】
なお、図５（ｂ）には複数のｅＳＤが示されているが、ワンセグモジュール３０６は一つのｅＳＤだけを備えてこれにワンセグアプリケーションソフトとユーザインターフェースソフトを格納するように構成することもできる。
【００３８】
このワンセグ機能拡張用個別機能装置は、車内でテレビジョン映像を楽しむことができるという効果がある。
【００３９】
図６は、中央情報表示装置１０の動作を表すフローチャートである。図６に示すように、ステップＳ１０１において、中央情報表示装置１０はＵＳＢポートに新たに接続があったかを判定する。中央情報表示装置１０は新たに接続を認識した場合、ステップＳ１０２に進み、新たな接続を認識しない場合ステップＳ１０１に戻る。
【００４０】
ステップＳ１０２において、中央情報表示装置１０は個別機能装置３０のｅＳＤからユーザインターフェースソフトを読みだし、中央情報表示装置１０のＲＡＭ１０３などのメモリに展開する。
【００４１】
ステップＳ１０３において、中央情報表示装置１０は展開したユーザインターフェースソフトから装着された個別機能装置を識別する。
【００４２】
ステップＳ１０４において、中央情報表示装置１０は個別機能装置３０のｅＳＤからアプリケーションソフトウエアを読みだして実行し、ステップＳ１０１に戻る。
【００４３】
以下、各個別機能装置３０毎の動作について説明する。ナビゲーション機能拡張用個別機能装置が拡張装置２０に装着された場合、中央情報表示装置１０は上述した図６のフローに従い、個別機能装置の識別と、アプリケーションソフトであるナビエンジンソフトの読みだしと実行を行う。
【００４４】
中央情報表示装置１０は、ＧＰＳアンテナモジュール３０１から位置情報を読み込み、ｅＳＤ３０２Ｂ１からマップデータを読み込み、メモリに格納する。中央情報表示装置１０はナビエンジンソフトを実行し、ナビエンジンソフトの指示に従ってメモリに格納した位置情報とマップデータを読みだしてナビゲーション機能を実現する。
【００４５】
一体型ナビゲーションモジュール３０３もこの動作に従って動作する。
【００４６】
ＡＶモジュール３０４が拡張装置２０に装着された場合、中央情報表示装置１０は上述した図６のフローに従い、個別機能装置の識別と、アプリケーションソフトであるデコードエンジンソフトの読みだしと実行を行う。
【００４７】
中央情報表示装置１０はデコードエンジンソフトの指示に従い、ｅＳＤ３０４Ｂ１から楽曲データを読みだし、メモリに格納する。中央情報表示装置１０はデコードエンジンソフトの指示に従ってメモリに格納した楽曲データを読みだしてデコードし、ＬＣＤ１０１に映像を表示し、スピーカから音声を再生してＡＶ機能を実現する。
【００４８】
ワンセグ機能拡張用個別機能装置が拡張装置２０に装着された場合、中央情報表示装置１０は上述した図６のフローに従い、個別機能装置の識別と、アプリケーションソフトであるワンセグアプリケーションソフトの読みだしと実行を行う。
【００４９】
中央情報表示装置１０はワンセグアプリケーションソフトの指示に従い、ワンセグモジュール３０６からの信号から映像信号と音声信号を生成し、ＬＣＤ１０１に映像を表示し、スピーカから音声を再生してテレビジョン受信機能を実現する。
【００５０】
以上述べたように、本実施形態の車載用表示装置は、中央情報表示装置１０と、拡張装置２０と、個別機能装置３０とを備える。このため、中央情報表示装置１０を拡張装置２２と別体に構成することにより中央情報表示装置１０の価格を低く抑えることが可能となり、ユーザは必要な機能を選択して拡張することが可能となるという効果がある。
【００５１】
（第２の実施形態）
続いて、本発明の車載用表示装置の第２の実施形態について説明する。本実施形態においては、個別機能装置３０の構成及び動作は第１の実施形態における個別機能装置３０の構成及び動作と同様であるため、説明を省略する。
【００５２】
図７は、本実施形態の車載用表示装置の概要を表す構成図である。図７に示すように、本実施形態の車載用表示装置は中央情報表示装置１１と、拡張装置２１と、個別機能装置３０とを備える。
【００５３】
中央情報表示装置１１は予め自動車などのフロントパネルに組み込まれていてもよく、また、フロントパネルとは別体に構成されて後から自動車などに設置されてもよい。中央情報表示装置１１は、ＬＣＤ１０１を備える。このＬＣＤ１０１は拡張装置２１の高性能ＣＰＵ１０２からのＶＧＡ信号を入力して表示画面に映像を表示する。ＬＣＤ１０１にはタッチパネルが設けられており、このタッチパネルからの入力は拡張装置２１の高性能ＣＰＵ１０２に入力する。
【００５４】
拡張装置２１は、高性能ＣＰＵ１０２と、記憶装置であるＲＡＭ１０３及びＲＯＭ１０４と、汎用シリアル通信バスであるＵＳＢ（ユニバーサルシリアルバス）を制御するＵＳＢホストコントローラ１０５と、著作権保護可能なＳＤカードメモリを制御するＳＤＳＤホストコントローラ１０６と、ＵＳＢ  ＨＵＢ２０１と、を備える。
【００５５】
高性能ＣＰＵ１０２は、個別機能装置３０の各種アプリケーションを実行できる程度な性能を有する。ＲＡＭ１０３はＳＤＲＡＭを用いることができる。ＲＯＭ１０４はＦｌａｓｈ  ＲＯＭを用いることができる。ＵＳＢホストコントローラ１０５はＵＳＢ以外の汎用シリアル通信バスのコントローラでもよい。ＵＳＢ  ＨＵＢ２０１はＵＳＢホストコントローラ１０５に接続されている。ＵＳＢ  ＨＵＢ２０１は複数のＨＵＢポートを備える。なお、拡張装置２１は中央情報表示装置１１と一体に構成されていても別体に構成されていてもよい。
【００５６】
本実施形態における拡張装置２１の動作は、第１の実施形態の中央情報表示装置１０の動作と同様であるため、図６を用いて説明する。
【００５７】
図６に示すように、ステップＳ１０１において、拡張装置２１はＵＳＢポートに新たに接続があったかを判定する。拡張装置２１は新たに接続を認識した場合、ステップＳ１０２に進み、新たな接続を認識しない場合ステップＳ１０１に戻る。
【００５８】
ステップＳ１０２において、拡張装置２１は個別機能装置３０のｅＳＤからユーザインターフェースソフトを読みだし、拡張装置２１のＲＡＭ１０３などのメモリに展開する。
【００５９】
ステップＳ１０３において、拡張装置２１は展開したユーザインターフェースソフトから装着された個別機能装置を識別する。
【００６０】
ステップＳ１０４において、拡張装置２１は個別機能装置３０のｅＳＤからアプリケーションソフトウエアを読みだして実行し、ステップＳ１０１に戻る。
【００６１】
以下、各個別機能装置３０毎の動作について説明する。ナビゲーション機能拡張用個別機能装置が拡張装置２１に装着された場合、拡張装置２１は上述した図６のフローに従い、個別機能装置の識別と、アプリケーションソフトであるナビエンジンソフトの読みだしと実行を行う。
【００６２】
拡張装置２１は、ＧＰＳアンテナモジュール３０１から位置情報を読み込み、ｅＳＤ３０２Ｂ１からマップデータを読み込み、メモリに格納する。拡張装置２１はナビエンジンソフトを実行し、ナビエンジンソフトの指示に従ってメモリに格納した位置情報とマップデータを読みだし、映像を中央情報表示装置１１のＬＣＤ１０１に表示してナビゲーション機能を実現する。
【００６３】
一体型ナビゲーションモジュール３０３もこの動作に従って動作する。
【００６４】
ＡＶモジュール３０４が拡張装置２１に装着された場合、拡張装置２１は上述した図６のフローに従い、個別機能装置の識別と、アプリケーションソフトであるデコードエンジンソフトの読みだしと実行を行う。
【００６５】
拡張装置２１はデコードエンジンソフトの指示に従い、ｅＳＤ３０４Ｂ１から楽曲データを読みだし、メモリに格納する。拡張装置２１はデコードエンジンソフトの指示に従ってメモリに格納した楽曲データを読みだしてデコードし、中央情報表示装置１１のＬＣＤ１０１に映像を表示し、スピーカから音声を再生してＡＶ機能を実現する。
【００６６】
ワンセグ機能拡張用個別機能装置が拡張装置２１に装着された場合、拡張装置２１は上述した図６のフローに従い、個別機能装置の識別と、アプリケーションソフトであるワンセグアプリケーションソフトの読みだしと実行を行う。
【００６７】
拡張装置２１はワンセグアプリケーションソフトの指示に従い、ワンセグモジュール３０６からの信号から映像信号と音声信号を生成し、中央情報表示装置１１のＬＣＤ１０１に映像を表示し、スピーカから音声を再生してテレビジョン受信機能を実現する。
【００６８】
以上述べたように、本実施形態の車載用表示装置は、中央情報表示装置１１がＬＣＤ１０１を備え、拡張装置２１が高性能ＣＰＵ１０２などの主要部品を備える。このため、中央情報表示装置１１の製造コストが低く抑えられ、拡張機能を全く望まないユーザの経済的負担を最小限に留めることができるという効果がある。
【００６９】
（第３の実施形態）
続いて、本発明の車載用表示装置の第３の実施形態について説明する。本実施形態においては、中央情報表示装置１１の構成及び動作は第２の実施形態における中央情報表示装置１１の構成及び動作と同様であるため、説明を省略する。
【００７０】
図８は、本実施形態の車載用表示装置の概要を表す構成図である。図８に示すように、本実施形態の車載用表示装置は中央情報表示装置１１と、拡張装置２２と、個別機能装置３２とを備える。
【００７１】
拡張装置２２は、低性能ＣＰＵ７０２と、記憶装置であるＲＡＭ１０３及びＲＯＭ１０４と、汎用シリアル通信バスであるＵＳＢを制御するＵＳＢホストコントローラ１０５と、ＵＳＢ  ＨＵＢ２０１と、を備える。
【００７２】
低性能ＣＰＵ７０２は、個別機能装置３２が出力した信号を中央情報表示装置１１に出力し、中央情報表示装置１１から入力した信号を個別機能装置３２に出力し、拡張装置２２が有する各装置を制御する程度の限られた性能を有する。
【００７３】
ＲＡＭ１０３はＳＤＲＡＭを用いることができる。ＲＯＭ１０４はＦｌａｓｈ  ＲＯＭを用いることができる。ＵＳＢホストコントローラ１０５はＵＳＢ以外の汎用シリアル通信バスのコントローラでもよい。ＵＳＢ  ＨＵＢ２０１はＵＳＢホストコントローラ１０５に接続されている。ＵＳＢ  ＨＵＢ２０１は複数のＨＵＢポートを備える。なお、拡張装置２２は中央情報表示装置１１と一体に構成されていても別体に構成されていてもよい。
【００７４】
図９は、中央情報表示装置１１のナビゲーション機能を拡張するための個別機能装置３２の例を示すブロック図である。図９に示すように、ナビゲーション機能拡張用個別機能装置は、ＧＰＳアンテナモジュール３０１と、ナビゲーションモジュール３０７とを備える。
【００７５】
ＧＰＳアンテナモジュール３０１は、信号を受信するアンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、ＧＰＳコントローラ３０１Ｂの動作を制御し、後述するナビゲーションモジュール３０７のＵＳＢホストコントローラ３０７Ｂに接続するＵＳＢデバイスコントローラ３０１Ａとを備える。
【００７６】
ナビゲーションモジュール３０７は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、汎用シリアル通信バスであるＵＳＢを制御するＵＳＢホストコントローラ３０７Ｂと、を備える。
【００７７】
さらに、ナビゲーションモジュール３０７は、地図に関するデータであるマップデータを格納する記憶装置であるｅＳＤ３０２Ｂ１と、ナビゲーションを実行するアプリケーションソフトであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０５Ｂ３と、ＯＳ（オペレーションシステム）を格納する記憶装置であるＲＯＭ３０２Ｂ４と、記憶装置であるＲＡＭ３０２Ｂ５と、を備える。
【００７８】
なお、図９には複数のｅＳＤが示されているが、ナビゲーションモジュール３０７は一つのｅＳＤだけを備えてこれにマップデータとナビエンジンソフトとユーザインターフェースソフトを格納するように構成することもできる。
【００７９】
ナビゲーションモジュール３０７は、さらにナビゲーションモジュール３０７が有するこれらの各装置を制御し、拡張装置２２のＵＳＢ  ＨＵＢ２０１に接続するＵＳＢデバイスコントローラ３０２Ａを備える。
【００８０】
このナビゲーション機能拡張用個別機能装置は、ＧＰＳアンテナモジュール３０１と、ナビゲーションモジュール３０７とを別体に構成した。このため、各モジュールの大きさを小さくすることが可能となるという効果がある。
【００８１】
図１０は一体型のナビゲーション機能拡張用個別機能装置である一体型ナビゲーションモジュール３０８の構成を示すブロック図である。図１０に示すように、ＧＰＳアンテナモジュールを併せ持つナビゲーションモジュールである一体型ナビゲーションモジュール３０８は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、を備える。
【００８２】
さらに、一体型ナビゲーションモジュール３０８は、アンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、を備える。
【００８３】
さらに、一体型ナビゲーションモジュール３０８は、地図に関するデータであるマップデータを格納する記憶装置であるｅＳＤ３０２Ｂ１と、ナビゲーションを実行するアプリケーションソフトであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０６Ｂ３と、ＯＳを格納する記憶装置であるＲＯＭ３０２Ｂ４と、記憶装置であるＲＡＭ３０２Ｂ５と、を備える。
【００８４】
なお、図１０には複数のｅＳＤが示されているが、一体型ナビゲーションモジュール３０８は一つのｅＳＤだけを備えてこれにマップデータとナビエンジンソフトとユーザインターフェースソフトを格納するように構成することもできる。
【００８５】
一体型ナビゲーションモジュール３０８は、さらにナビゲーションモジュール３０７が有するこれらの各装置を制御し、拡張装置２２のＵＳＢ  ＨＵＢ２０１に接続するＵＳＢデバイスコントローラ３０２Ａを備える。
【００８６】
図１１は中央情報表示装置１１のオーディオビジュアル機能を拡張する個別機能装置３０であるＡＶモジュール３０９の構成を示すブロック図である。図１１に示すように、ＡＶモジュール３０９は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、を備える。
【００８７】
さらに、ＡＶモジュール３０９は、音楽やビデオなどの楽曲データを格納するｅＳＤ３０４Ｂ１と、楽曲データをデコードするソフトウエアであるデコードエンジンソフトウエアを格納するｅＳＤ３０４Ｂ２と、ユーザとＡＶモジュール３０９とのインターフェースとして機能するユーザインターフェースソフトを格納する記憶装置であるｅＳＤ３０９Ｂ３と、ＯＳを格納する記憶装置であるＲＯＭ３０２Ｂ４と、記憶装置であるＲＡＭ３０２Ｂ５と、を備える。
【００８８】
なお、図１１には複数のｅＳＤが示されているが、ＡＶモジュール３０９は一つのｅＳＤだけを備えてこれに楽曲データとデコードエンジンソフトとユーザインターフェースソフトを格納するように構成することもできる。
【００８９】
ＡＶモジュール３０９は、さらにＡＶモジュール３０９が有するこれらの各装置を制御し、拡張装置２２のＵＳＢ  ＨＵＢ２０１に接続するＵＳＢデバイスコントローラ３０２Ａを備える。
【００９０】
このＡＶモジュール３０９は、パソコンやオーディオ機器などの上位機種に接続し、これらの上位機種から楽曲データやデコードエンジンソフトを格納するように構成することもできるため、任意の楽曲を車内で楽しむことができるという効果がある。
【００９１】
図１２は、中央情報表示装置１１のテレビジョン受信機能を拡張する個別機能装置３２であるワンセグ機能拡張用個別機能装置の構成を示すブロック図である。図１２に示すように、ワンセグ機能拡張用個別機能装置は、ワンセグアンテナモジュール３０５と、ワンセグモジュール３１０とを備える。
【００９２】
ワンセグアンテナモジュール３０５は、テレビジョン信号を受信するアンテナ３０５Ｄと、受信した信号を処理する高周波回路３０５Ｃと、処理した高周波信号から任意のチャンネルのテレビジョン信号を選択するワンセグチューナー３０５Ｂと、このワンセグチューナー３０５Ｂを制御し、後述するワンセグモジュール３１０のＵＳＢホストコントローラ３０７Ｂに接続するＵＳＢデバイスコントローラ３０１Ａとを備える。
【００９３】
ワンセグモジュール３１０は、アプリケーションソフトを実行するのに十分な性能を有する高性能ＣＰＵ３０７Ａと、この高性能ＣＰＵ３０７Ａに接続し、著作権保護可能なＳＤカードメモリを制御するＳＤＳＤホストコントローラ１０６と、汎用シリアル通信バスであるＵＳＢを制御するＵＳＢホストコントローラ３０７Ｂと、を備える。
【００９４】
ワンセグモジュール３１０は、ワンセグチューナー３０５Ｂが選択したチャンネルのテレビジョン信号からＬＣＤ１０１に表示させる画像データとスピーカから再生する音声データと生成する機能を実行するソフトウエアであるワンセグアプリケーションソフトを格納する記憶装置であるｅＳＤ３０６Ｂ１と、ユーザとワンセグ機能拡張用個別機能装置とのインターフェースとして機能するユーザインターフェースソフトを格納する記憶装置であるｅＳＤ３１０Ｂ２と、ＯＳを格納する記憶装置であるＲＯＭ３０２Ｂ４と、記憶装置であるＲＡＭ３０２Ｂ５と、を備える。
【００９５】
なお、図１２には複数のｅＳＤが示されているが、ワンセグモジュール３１０は一つのｅＳＤだけを備えてこれにワンセグアプリケーションソフトとユーザインターフェースソフトを格納するように構成することもできる。
【００９６】
ワンセグモジュール３１０は、さらにワンセグモジュール３１０が有するこれらの各装置を制御し、拡張装置２２のＵＳＢ  ＨＵＢ２０１に接続するＵＳＢデバイスコントローラ３０２Ａを備える。
【００９７】
このワンセグ機能拡張用個別機能装置は、車内でテレビジョン映像を楽しむことができるという効果がある。
【００９８】
本実施形態における拡張装置２２の動作は、第１の実施形態の中央情報表示装置１０の動作と同様であるため、図６を用いて説明する。
【００９９】
図６に示すように、ステップＳ１０１において、拡張装置２２はＵＳＢポートに新たに接続があったかを判定する。拡張装置２２は新たに接続を認識した場合、ステップＳ１０２に進み、新たな接続を認識しない場合ステップＳ１０１に戻る。
【０１００】
ステップＳ１０２において、拡張装置２２は個別機能装置３２のｅＳＤからユーザインターフェースソフトを読みだし、拡張装置２２のＲＡＭ１０３などのメモリに展開する。
【０１０１】
ステップＳ１０３において、拡張装置２２は展開したユーザインターフェースソフトから装着された個別機能装置を識別する。
【０１０２】
ステップＳ１０４において、拡張装置２２は個別機能装置３２のｅＳＤからアプリケーションソフトウエアを読みだして実行し、ステップＳ１０１に戻る。このステップＳ１０４において読みだされるアプリケーションソフトウエアは、低性能ＣＰＵ７０２が実行できる程度のものである。
【０１０３】
以下、各個別機能装置３２毎の動作について説明する。ナビゲーション機能拡張用個別機能装置が拡張装置２２に装着された場合、ナビゲーションモジュール３０７はＲＯＭ３０２Ｂ４からＯＳを読みだしてＲＡＭ３０２Ｂ５に展開する。また、ナビゲーションモジュール３０７はｅＳＤ３０２Ｂ２からナビエンジンソフトを読み出してＲＡＭ３０２Ｂ５に展開する。
【０１０４】
拡張装置２２は上述した図６のフローに従い、個別機能装置の識別と、アプリケーションソフトであるナビエンジンソフトの読みだしと実行を行う。ナビゲーションモジュール３０７は高性能ＣＰＵ３０７Ａによりナビエンジンソフトを実行する。
【０１０５】
ナビゲーションモジュール３０７は、ＧＰＳアンテナモジュール３０１から位置情報を読み込み、ｅＳＤ３０２Ｂ１からマップデータを読み込み、メモリに格納する。ナビゲーションモジュール３０７はナビエンジンソフトを実行し、ナビエンジンソフトの指示に従ってメモリに格納した位置情報とマップデータを読みだし、映像を中央情報表示装置１１のＬＣＤ１０１に表示してナビゲーション機能を実現する。
【０１０６】
一体型ナビゲーションモジュール３０８もこの動作に従って動作する。
【０１０７】
ＡＶモジュール３０９が拡張装置２２に装着された場合、ＡＶモジュール３０９はＲＯＭ３０２Ｂ４からＯＳを読みだしてＲＡＭ３０２Ｂ５に展開する。また、ＡＶモジュール３０９はｅＳＤ３０４Ｂ２からデコードエンジンソフトを読み出してＲＡＭ３０２Ｂ５に展開する。
【０１０８】
拡張装置２２は上述した図６のフローに従い、個別機能装置の識別と、アプリケーションソフトであるデコードエンジンソフトを読みだしと実行を行う。ＡＶモジュール３０９は高性能ＣＰＵ３０７Ａによりデコードエンジンソフトを実行する。
【０１０９】
ＡＶモジュール３０９はデコードエンジンソフトの指示に従い、ｅＳＤ３０４Ｂ１から楽曲データを読みだし、メモリに格納する。ＡＶモジュール３０９はデコードエンジンソフトの指示に従ってメモリに格納した楽曲データを読みだしてデコードし、中央情報表示装置１１のＬＣＤ１０１に映像を表示し、スピーカから音声を再生してＡＶ機能を実現する。
【０１１０】
ワンセグ機能拡張用個別機能装置が拡張装置２２に装着された場合、ワンセグモジュール３１０はＲＯＭ３０２Ｂ４からＯＳを読みだしてＲＡＭ３０２Ｂ５に展開する。また、ワンセグモジュール３１０はｅＳＤ３０６Ｂ１からワンセグアプリケーションソフトを読み出してＲＡＭ３０２Ｂ５に展開する。
【０１１１】
拡張装置２２は上述した図６のフローに従い、個別機能装置の識別と、アプリケーションソフトであるワンセグアプリケーションソフトの読みだしと実行を行う。ワンセグモジュール３１０は高性能ＣＰＵ３０７Ａによりワンセグアプリケーションソフトを実行する。
【０１１２】
ワンセグモジュール３１０はワンセグアプリケーションソフトの指示に従い、ワンセグモジュール３０５からの信号から映像信号と音声信号を生成し、中央情報表示装置１１のＬＣＤ１０１に映像を表示し、スピーカから音声を再生してテレビジョン受信機能を実現する。
【０１１３】
次に、本実施形態の車載用表示装置の自動車における設置例について述べる。図１３は、フロントガラス付近に拡張装置２２を配置する例を示す図である。図１３に示すように、中央情報表示装置１１はフロントパネル１００の前面に配置される。
【０１１４】
拡張装置２２はフロントパネルの上面、すなわちフロントパネル１００のフロントガラスに対向する面に設置される。
【０１１５】
このように配置することにより、ＧＰＳアンテナモジュール３０１やワンセグアンテナモジュール３０５などの電波を受信する個別機能装置３２がより電波を受信しやすくなるという効果がある。
【０１１６】
図１４は、中央情報表示装置１１の上部に拡張装置２２を配置する例を示す図である。図１４に示すように、中央情報表示装置１１はフロントパネル１００の前面に配置される。
【０１１７】
拡張装置２２は、中央情報表示装置１１の上部、すなわちＬＣＤ１０１の上方であって、コンソール２００に収まる位置に配置される。
【０１１８】
このように配置されることにより、個別機能装置３２が電波を受信しやすく、しかもコンソールの組み立てが容易になるという効果がある。
【０１１９】
図１５は、中央情報表示装置１１と拡張装置２２とを一体に構成する例を示す図である。図１５に示すように、中央情報表示装置１１はフロントパネル１００の前面に配置される。
【０１２０】
拡張装置２２は中央情報表示装置１１と一体に構成される。拡張装置２２は中央情報表示装置１１のＬＣＤ１０１と同じ面、望ましくはＬＣＤ１０１の上方に配置される。
【０１２１】
このように配置することによりユーザが個別機能装置３２を容易に抜き差しできるという効果がある。
【０１２２】
以上述べたように、本実施形態の車載用表示装置は、中央情報表示装置１１がＬＣＤ１０１を備え、拡張装置２２が低性能ＣＰＵ７０２などの装置を備え、個別機能装置３２が高性能ＣＰＵ３０７Ａなどの主要装置を備える。このため、中央情報表示装置１１及び拡張装置２２の製造コストが低く抑えられ、拡張装置２２が中央情報表示装置１１とともに自動車に設置されても、拡張機能を全く望まないユーザの経済的負担を低く抑えることができるという効果がある。
【０１２３】
（個別機能装置の説明）
図１６は、本発明の個別機能装置を示す図である。図１６（ａ）は、第１の実施形態による個別機能装置を示す図である。図１６（ａ）に示すように、本実施形態の個別機能装置は、ＵＳＢデバイスコントローラ３０２Ａや記憶装置などの装置群を収納する本体部８０２と、ＵＳＢデバイスコントローラ３０２Ａに接続する標準ＵＳＢジャック８０１と、ＵＳＢデバイスコントローラ３０２Ａに接続する専用ＵＳＢジャック８０３とを有する。  専用ＵＳＢジャック８０３は、標準ＵＳＢジャック８０１とは形状が異なる。
【０１２４】
本実施形態においては、拡張装置２０，拡張装置２１，拡張装置２２のＵＳＢジャックは専用ＵＳＢジャック８０３と連結できる形状をなしている。
【０１２５】
このように構成したため、本実施形態の個別機能装置はパソコンやオーディオ機器などの上位機種とは標準ＵＳＢジャック８０１を用いて接続できるとともに、拡張装置２０，拡張装置２１，拡張装置２２とは専用ＵＳＢジャック８０３を用いて接続できる。このため、拡張装置２０，拡張装置２１，拡張装置２２に個別機能装置以外の装置が誤接続されることはないという効果がある。
【０１２６】
図１６（ｂ）は、第２の実施形態による個別機能装置を示す図である。本実施形態において個別機能装置は、ＵＳＢデバイスコントローラ３０２Ａや記憶装置などの装置群を収納する本体部８０２と、ＵＳＢデバイスコントローラ３０２Ａに接続する標準ＵＳＢジャック８０１と、ＵＳＢデバイスコントローラ３０２Ａに接続する専用ＵＳＢジャック８０３と、摺動可能なスリーブ８０４と、を備える。
【０１２７】
このスリーブ８０４は、個別機能装置の一方のジャックを被覆するのに十分な長さを備え、摺動することによりこれらのジャックを交互に被覆するように構成される。すなわち、スリーブ８０４が専用ＵＳＢジャック８０３側に摺動したとき、専用ＵＳＢジャック８０３を被覆して保護する。スリーブ８０４が標準ＵＳＢジャック８０１側に摺動したとき、標準ＵＳＢジャック８０１を被覆して保護する。
【０１２８】
図１６（ｂ）においては専用ＵＳＢジャック８０３が被覆される位置にスリーブ８０４が摺動されている。この場合、標準ＵＳＢジャック８０１のみが使用可能となる。
【０１２９】
図１６（ｃ）においては標準ＵＳＢジャック８０１が被覆される位置にスリーブ８０４が摺動されている。この場合、専用ＵＳＢジャック８０３のみが使用可能となる。
【０１３０】
このように構成したことにより、使用しない方のジャックを破損から保護することができるという効果がある。
【０１３１】
図１６（ｄ）は、第３の実施形態による個別機能装置を示す図である。本実施形態において個別機能装置は、ＵＳＢデバイスコントローラ３０２Ａや記憶装置などの装置群を収納する本体部８０２と、ＵＳＢデバイスコントローラ３０２Ａに接続する標準ＵＳＢジャック８０１と、ＵＳＢデバイスコントローラ３０２Ａに接続する本体部８０２に覆われたメス型の専用ＵＳＢジャック８０５と、を備える。
【０１３２】
このように構成することにより、スリーブを用いずに専用ジャックを破損から保護することが可能となる。
【図面の簡単な説明】
【０１３３】
【図１】本発明の車載用表示装置の第１の実施形態における構成を示す概要図である。
【図２】中央情報表示装置１０のナビゲーション機能を拡張するための個別機能装置３０の例を示すブロック図である。
【図３】一体型ナビゲーション機能拡張用個別機能装置の構成を示すブロック図である。
【図４】中央情報表示装置１０のオーディオビジュアル機能を拡張する個別機能装置３０であるＡＶモジュール３０４の構成を示すブロック図である。
【図５】中央情報表示装置１０のテレビジョン受信機能を拡張する個別機能装置３０であるワンセグ機能拡張用個別機能装置の構成を示すブロック図である。
【図６】中央情報表示装置１０の動作を表すフローチャートである。
【図７】第２の実施形態の車載用表示装置の概要を表す構成図である。
【図８】第３の実施形態の車載用表示装置の概要を表す構成図である。
【図９】中央情報表示装置１１のナビゲーション機能を拡張するための個別機能装置３２の例を示すブロック図である。
【図１０】一体型のナビゲーション機能拡張用個別機能装置である一体型ナビゲーションモジュール３０８の構成を示すブロック図である。
【図１１】中央情報表示装置１１のオーディオビジュアル機能を拡張する個別機能装置３０であるＡＶモジュール３０９の構成を示すブロック図である。
【図１２】中央情報表示装置１１のテレビジョン受信機能を拡張する個別機能装置３２であるワンセグ機能拡張用個別機能装置の構成を示すブロック図である。
【図１３】フロントガラス付近に拡張装置２２を配置する例を示す図である。
【図１４】中央情報表示装置１１の上部に拡張装置２２を配置する例を示す図である。
【図１５】中央情報表示装置１１と拡張装置２２とを一体に構成する例を示す図である。
【図１６】本発明の個別機能装置を示す図である。
【符号の説明】
【０１３４】
１０，１１：中央情報表示装置、
２０，２１，２２：拡張装置、
３０，３２：個別機能装置、
３０１：ＧＰＳアンテナモジュール、
３０２，３０７：ナビゲーションモジュール、
３０３，３０８：一体型ナビゲーションモジュール、
３０４，３０９：ＡＶモジュール、
３０５：ワンセグアンテナモジュール、
３０６，３１０：ワンセグモジュール。
【図１】
2010058642.tif 000003
【図２】
2010058642.tif 000004
【図３】
2010058642.tif 000005
【図４】
2010058642.tif 000006
【図５】
2010058642.tif 000007
【図６】
2010058642.tif 000008
【図７】
2010058642.tif 000009
【図８】
2010058642.tif 000010
【図９】
2010058642.tif 000011
【図１０】
2010058642.tif 000012
【図１１】
2010058642.tif 000013
【図１２】
2010058642.tif 000014
【図１３】
2010058642.tif 000015
【図１４】
2010058642.tif 000016
【図１５】
2010058642.tif 000017
【図１６】
2010058642.tif 000018